【事件の表示】
　平成　３年特許願第２１４３０１号「高周波増幅器」拒絶査定に対する審判事件［平成　５年　２月１２日出願公開、特開平　５−　３７２５２］について、次のとおり審決する。
【結　論】
　本件審判の請求は、成り立たない。
【理　由】
１．手続の経緯・本願発明
　本願は、平成３年７月３１日の出願であって、その請求項１に係る発明は、特許請求の範囲の請求項１に記載された次のとおりのものと認める。（以下、「本願発明」という。）
「増幅用トランジスタと、該トランジスタのバイアス回路を有する増幅回路を、インピーダンス変換回路を介して複数段接続した多段の高周波増幅器において、前記段間のインピーダンス変換回路は、前記各増幅回路の増幅用トランジスタの出力側に接続されたコイル、結合用コンデンサ、及び高周波接地用コンデンサを含み、前記コイルのリアクタンス値Ｘを、４０Ω≦Ｘ≦８０Ωの範囲に設定したことを特徴とする高周波増幅器。」
　
２．引用例記載の発明
　これに対して、当審において平成１２年６月２７日付けで通知した拒絶理由に引用した特開平３−４６８０６号公報（以下、「引用例１」という。）には、「一方、マイクロ波帯において所定の増幅度を得るためには、第４図に示すような増幅器一段だけでは利得が不足するため、一段増幅器を数段カスケード接続して利得をアップするのが一般的である。」（公報２頁右下欄９行ないし１３行）、「第５図にその基本例を示す。第５図において、１０〜１２はＧａＡｓ　ＭＥＳ　ＦＥＴ、１３〜１５はチョークコイル、１６〜１８はソース抵抗、１９〜２１はチョークコイル、１６〜１８はソース抵抗、１９〜２１はソースコンデンサ、２２〜２４はゲート抵抗、２５〜２７はコンデンサ、２８〜３１はカップリングコンデンサである。なお、各段の増幅器にはそれぞれ独立してドレイン電流ＩDが供給され、ＤＣバイアスがかけられている。」（公報２頁右下欄下から６行ないし３頁左上欄２行）の記載がある。
　これらの記載によれば、引用例１には「増幅用のＧａＡｓ　ＭＥＳ　ＦＥＴと、該ＧａＡｓ　ＭＥＳ　ＦＥＴのＤＣバイアスを有する増幅器を、前記各増幅器の増幅用トランジスタの出力側に接続されたチョークコイル１９〜２１、カップリングコンデンサ２８〜３１、コンデンサ２５〜２７を含む回路を介して複数段カスケード接続したマイクロ波帯の増幅器」の発明（以下、「引用例１記載の発明」という。）が記載されているものと認められる。
　
３．対比
（１）　本願発明と引用例１記載の発明とを対比すると、
　引用例１記載の発明の「増幅用のＧａＡｓ　ＭＥＳ　ＦＥＴ」、「ＧａＡｓ　ＭＥＳ　ＦＥＴのＤＣバイアスを有する増幅器」、「各増幅器の増幅用トランジスタの出力側に接続されたチョークコイル１９〜２１、カップリングコンデンサ２８〜３１、コンデンサ２５〜２７を含む回路」、「複数段カスケード接続」、「マイクロ波帯の増幅器」、「チョークコイル１９〜２１」、「カップリングコンデンサ２８〜３１」は、それぞれ、本願発明の「増幅用トランジスタ」、「トランジスタのバイアス回路を有する増幅回路」、「インピーダンス変換回路」、「複数段接続」、「高周波増幅器」、「コイル」、「結合用コンデンサ」に相当し、また、引用例１記載の発明の「コンデンサ２５〜２７」と本願発明の「高周波接地用コンデンサ」とは、「コンデンサ」である点で一致する。
　そうすると、本願発明と引用例１記載の発明とは、以下の点でそれぞれ、一致ならびに相違するものと認められる。
　
（２）一致点
　「増幅用トランジスタと、該トランジスタのバイアス回路を有する増幅回路を、インピーダンス変換回路を介して複数段接続した多段の高周波増幅器において、前記段間のインピーダンス変換回路は、前記各増幅回路の増幅用トランジスタの出力側に接続されたコイル、結合用コンデンサ、及びコンデンサを含む高周波増幅器。」
　
（３）相違点
　（ア）インピーダンス変換回路のコンデンサについて、本願発明は「高周波接地用」であるのに対して、引用例１記載の発明では不明である点、
　（イ)コイルのリアクタンス値Ｘについて、本願発明はリアクタンス値Ｘを４０Ω≦Ｘ≦８０Ωの範囲に設定しているのに対して、引用例１記載の発明はリアクタンス値Ｘの具体的数値の記載していない点、
　
４．相違点の検討判断
（１）相違点（ア）について
　当審において平成１２年６月２７日付けで通知した拒絶理由に引用した特開昭５５ー１４９５０９号公報（以下、「引用例２」という。）には、「この発明はテレビジョン受信機のＵＨＦ電子チューナに使用される高周波増幅回路に関するものである。第１図に、最も一般的に使用されているテレビジョン受信機用ＵＨＦ電子チューナの高周波増幅回路を示す。第１図はＵＨＦ高周波増幅回路、増幅素子としてそのバイアス回路および出力同調回路部を示したもので、１が高周波信号入力端子、２が出力端子、６が高周波信号増幅用のトランジスタである。３はトランジスタ６の利得制御を行なうためのＡＧＣ電圧供給端子、４は電源電圧供給端子であり、高周波阻止用のチョークコイル１４，抵抗１５を介してトランジスタ６を駆動している。」（公報１頁右欄２行ないし１５行）、「１２はトランジスタ６の出力と前記同調回路とを高周波的に結合するための結合コンデンサであるが、通常高周波インピーダンスは低くてよく、直流阻止としての作用が主体となる。１７はエミッタバイアス用の抵抗、１６はベースバイアス抵抗・・・１９，２０は高周波接地用のバイパスコンデンサである。１３はトランジスタ６により増幅され、同調回路で選択された信号を出力端子に接続される負荷へ伝達するための、結合コイルであり。共振コイル９と誘導結合している。」（公報２頁左上欄６行ないし１７行）の記載があり、これらの記載によれば、最も一般的に使用されているテレビジョン受信機用ＵＨＦ電子チューナの高周波増幅回路には、高周波信号増幅用トランジスタにバイアス回路が設けられ、その出力側には高周波阻止用のコイル、結合コンデンサ、及び高周波接地用コンデンサを含む回路が設けられると認められるところ、引用例１記載の発明も、高周波増幅回路であって、その高周波信号増幅用トランジスタにバイアス回路が、その出力側に高周波阻止用のコイル、結合コンデンサ、及びコンデンサを含む回路が設けられていることから、引用例１記載の発明の上記「コンデンサ」は「高周波接地用」と解することができる。
　
（２）相違点（イ）について
 　本願発明の段間のインピーダンス変換回路は、その請求項１に「各増幅回路の増幅用トランジスタの出力側に接続されたコイル、結合用コンデンサ、及び高周波接地用コンデンサを含む」と記載されているように、インピーダンス変換回路を構成する増幅用トランジスタ、コイル、結合用コンデンサ、及び高周波接地用コンデンサが特定された接続関係を有するものではなく、また、使用する周波数帯、コイル、結合用コンデンサ、高周波接地用コンデンサ等の容量値等を特定するものでなく、さらに本願明細書及び図面を参酌しても、インピーダンス変換回路のコイルのリアクタンス値Ｘが４０Ω前後、及び８０Ω前後において臨界的な特性を有することが見受けられないこと等を考慮すると、インピーダンス変換回路を構成するコイルのリアクタンス値のみを数値限定したことに格別の技術的意義はないと考えられることから、インピーダンス変換回路のコイルのリアクタンス値Ｘを４０Ω≦Ｘ≦８０Ωの範囲に設定することは当業者であれば適宜実施し得る設計事項といえるものであって当業者であれば容易に想到し得るものである。
　
５．むすび
　したがって、本願発明は、引用例１，２に記載された発明に基づいて当業者が容易に発明をすることができたものであるので、特許法第２９条第２項の規定により特許を受けることができない。
　よって、結論のとおり審決する。